(57)【特許請求の範囲】
【請求項１】
長手方向の両端部にそれぞれ係合部を有する弾性芯材、および柔軟性を有し前記弾性芯材の両係合部間に外装された握り部よりなるグリップと、
前記弾性芯材の係合部をスライド可能に支持する支持台、および前記支持台上面を覆うキャップを有する一対のブラケットと、を備えた伸縮式アシストグリップであって、
前記弾性芯材の係合部は、前記弾性芯材の長手方向へ延びて対向して設けられた一対の立上壁と、一対の前記立上壁に直交し両側方へ突出して設けられたガイドピンと、を備え、
前記ブラケットの支持台は、前記長手方向へ延びて対向し一対の前記立上壁にそれぞれ摺接する一対のガイド壁と、一対の前記ガイド壁にそれぞれ設けられ鉤形状に形成されるとともに前記ガイドピンとスライド嵌合可能に設けられた一対のガイド溝と、を備えてなる、
ことを特徴とする伸縮式アシストグリップ。
【請求項２】
長手方向の両端部にそれぞれ係合部を有する弾性芯材、および柔軟性を有し前記弾性芯材の両係合部間に外装された握り部よりなるグリップと、
前記弾性芯材の係合部をスライド可能に支持する支持台、および前記支持台上面を覆うキャップを有する一対のブラケットと、を備えた伸縮式アシストグリップであって、
前記弾性芯材の係合部は、前記弾性芯材の長手方向へ延びて対向して設けられた一対の立上壁と、前記立上壁にそれぞれ鉤形状に形成された一対のガイド溝と、を備え、
前記ブラケットの支持台は、前記長手方向へ延びて対向し一対の前記立上壁にそれぞれ摺接する一対のガイド壁と、一対の前記ガイド壁間に架設されて一対の前記ガイド溝にスライド嵌合可能に設けられたガイドピンと、を備えてなる、
ことを特徴とする伸縮式アシストグリップ。
【請求項３】
請求項１または２に記載の伸縮式アシストグリップであって、
前記ブラケットの支持台は、前記長手方向の外端部に係合爪を備え、
前記ブラケットのキャップは、前記支持台の係合爪に係合可能な係合孔、および前記ガイド壁の一端縁部に摺接可能な保持壁、ならびに前記握り部の端部に嵌合される嵌合部を備えてなる、
ことを特徴とする伸縮式アシストグリップ。
【発明の詳細な説明】
【０００１】
【発明の属する技術分野】
この発明は自動車のドア開口部等に取付けられる伸縮式アシストグリップに関する。
【０００２】
【従来の技術】
従来、車両走行時に乗員の姿勢を保持するため等の補助具として、自動車のドア開口部上縁等にアシストグリップが設けられている。このアシストグリップには、乗員とアシストグリップとの間の間隔を十分確保するため、使用しないとき、握り部が車体に添った格納状態となる、伸縮式アシストグリップが用いられることがある。
【０００３】
図１１〜１５は、このような伸縮式アシストグリップの一例を示す。この伸縮式アシストグリップ５０は、スライド溝５３を備えた係合部５２ａを有し、ばね鋼板からなる弾性芯材５２、および弾性芯材５２に外装された柔軟性を有する握り部５４よりなるグリップ５１と、係合部５２ａをスライド可能に支持する支持台５６、止め板５７、および握り部５４の端部を被覆する蛇腹部５８ａを有し、支持台５６上面を覆う軟質樹脂製のキャップ５８、よりなる一対のブラケット５５とを備えて構成されている。
【０００４】
そしてグリップ５１は、係合部５２ａのスライド溝５３に取付ねじ５９が貫通されるとともに、支持台５６上に止め板５７で挟装され、ブラケット５５と一体的に組合せられて車体６０に装着されている。
【０００５】
この伸縮式アシストグリップ５０は、使用時には、格納状態にあるグリップ５１を、弾性芯材５２の弾性に抗して、図１２の上方へ持上げる。
【０００６】
それにより、内方へスライドしたスライド溝５３の内側端面５３ａが、止め板５７のストッパ爪５７ａに係合して、グリップ５１が上方へ湾出した使用状態が保持される。これを格納するには、握り部５４の中央部を下方へ押下げる。
【０００７】
この押下げ力により、内側端面５３ａとストッパ爪５７ａとの係合が外れ、弾性芯材５２の復元弾性力によって、係合部５２ａが外方へスライドし、グリップ５１は格納状態に復帰する。
【０００８】
【発明が解決しようとする課題】
しかし、このような従来構成の伸縮式アシストグリップにおいては、ストッパ爪５７ａで使用状態を保持しているので、グリップ格納時に引っ掛かり感があって、操作感が悪くなるという問題があった。また、使用状態の保持は、スライド溝内側端面５３ａとストッパ爪５７ａのみで行っているため、弾性芯材５２の形成曲面のばらつきにより、係合が外れ易くなったり、外れにくくなったりするという問題があった。
【０００９】
さらに、格納状態では、弾性芯材５２と、ブラケット５５の支持台５６，止め板５７との間の隙間Ｇが大きいため（図１４参照）、グリップ５１が上下にぐらついて不安定である。また、弾性芯材５２と止め板５７とが、共に金属製であるため、格納操作時の摺動音が大きくなるという問題があった。また、使用状態において、図１５に示すように、グリップ５１の持上げに伴って、キャップ５８の蛇腹部５８ａが変形して浮上がり、見栄えが悪くなり好ましくなかった。
【００１０】
この発明は上記問題にかんがみてなされたものであり、その目的とするところは、安定した使用状態を保持できるとともに、作動音を抑制して円滑に操作を行うことができる伸縮式アシストグリップを提供しようとするものである。
【００１３】
【課題を解決するための手段】
この発明は上記目的を達成するためになされたものであり、
第１の発明の伸縮式アシストグリップは、長手方向の両端部にそれぞれ係合部を有する弾性芯材、および柔軟性を有し前記弾性芯材の両係合部間に外装された握り部よりなるグリップと、
前記弾性芯材の係合部をスライド可能に支持する支持台、および前記支持台上面を覆うキャップを有する一対のブラケットと、を備えた伸縮式アシストグリップであって、
前記弾性芯材の係合部は、前記弾性芯材の長手方向へ延びて対向して設けられた一対の立上壁と、一対の前記立上壁に直交し両側方へ突出して設けられたガイドピンと、を備え、
前記ブラケットの支持台は、前記長手方向へ延びて対向し一対の前記立上壁にそれぞれ摺接する一対のガイド壁と、一対の前記ガイド壁にそれぞれ設けられ鉤形状に形成されるとともに前記ガイドピンとスライド嵌合可能に設けられた一対のガイド溝と、を備えてなる、ことを特徴とする伸縮式アシストグリップである。
【００１４】
第２の発明の伸縮式アシストグリップは、長手方向の両端部にそれぞれ係合部を有する弾性芯材、および柔軟性を有し前記弾性芯材の両係合部間に外装された握り部よりなるグリップと、
前記弾性芯材の係合部をスライド可能に支持する支持台、および前記支持台上面を覆うキャップを有する一対のブラケットと、を備えた伸縮式アシストグリップであって、
前記弾性芯材の係合部は、前記弾性芯材の長手方向へ延びて対向して設けられた一対の立上壁と、前記立上壁にそれぞれ鉤形状に形成された一対のガイド溝と、を備え、
前記ブラケットの支持台は、前記長手方向へ延びて対向し一対の前記立上壁にそれぞれ摺接する一対のガイド壁と、一対の前記ガイド壁間に架設されて一対の前記ガイド溝にスライド嵌合可能に設けられたガイドピンと、を備えてなる、ことを特徴とする伸縮式アシストグリップである。
【００１６】
また、前記ブラケットの支持台は、前記長手方向の外端部に係合爪を備え、
前記ブラケットのキャップは、前記支持台の係合爪に係合可能な係合孔、および前記ガイド壁の一端縁部に摺接可能な保持壁、ならびに前記握り部の端部に嵌合される嵌合部を備えて構成されてもよい。
【００１７】
【発明の実施の形態】
以下、この発明の実施態様を図面に基づいて説明する。
【００１８】
図１〜７は本発明の第１実施態様を示し、この伸縮式アシストグリップ１は、両端部に係合部１２，１２を有する弾性芯材１１、および弾性芯材１１に外装された握り部１８よりなるグリップ１０と、支持台２１、およびキャップ３０を有する一対のブラケット２０，２０とからなり、弾性芯材１１の係合部１２は、一対の立上壁１３，１３と、ガイドピン１６とを備え、ブラケット２０の支持台２１は、ガイド溝２４を有する一対のガイド壁２３と、ストッパ部２６および係合爪２７とを備え、キャップ３０は、係合孔３１，保持壁３３，嵌合部３５を備えて構成されている。
【００１９】
グリップ１０は、例えば、帯状のばね鋼板（または硬質樹脂材）からなり、両端部に係合部１２，１２を有する弾性芯材１１と、軟質樹脂材からなり、弾性芯材１１の係合部１２，１２間を被覆外装した握り部１８とにより形成されている。なお、以下ではグリップ１０の一方の側のみを説明し、対称的な他方の側については説明を省略する。
【００２０】
弾性芯材１１の係合部１２は、その側部に、長手方向（図２に矢印Ａ−Ａ’で示す方向）へ延びて対向する一対の立上壁１３，１３が設けられている。立上壁１３，１３には、長手方向Ａ−Ａ’に直交する同一軸線上に横断孔１４，１４が穿設され、横断孔１４，１４には、両端部が、立上壁１３，１３より側方（図２に矢印Ｂ−Ｂ’で示す方向）へ突出したガイドピン１６が固着されている。なお、符号１５は透し孔であり、１８ａは握り部１８の端部である。
【００２１】
ブラケット２０は、硬質樹脂材よりなる支持台２１と、キャップ３０とにより形成されている。支持台２１は、長手方向Ａ−Ａ’に延びて対向するとともに、その対向面が、立上壁１３，１３に摺接可能な一対のガイド壁２３，２３を備え、ガイド壁２３，２３には、ガイド溝２４，２４が鏡映対称的に穿設されている。
【００２２】
ガイド溝２４は鉤形状に形成されており、外端側（図３の左端側）へ向かって、緩やかに低くなる勾配を有するガイド部２４ａと、角部より上向き（図３の矢印Ｃ方向）に屈曲した鉤形部２４ｂとを備えて形成されている。
【００２３】
そして、ガイド壁２３，２３の間には、弾性芯材１１の立上壁１３，１３が嵌入されて、ガイド壁２３と立上壁１３とが摺接するとともに、ガイドピン１６の両突出端部が、それぞれガイド溝２４，２４に案内されてスライドするように嵌合されている。なお、ガイド壁２３の内端側の端縁部２３ａは、揺動するキャップ３０の保持壁３３に摺接するように、側面視円弧状に形成されている。
【００２４】
また、支持台２１の所定位置には、格納状態のグリップ１０の端部１８ａに当接するストッパ部２６が突設されている。また外端部には、外方へ突出した係合爪２７が設けられ、取付面２１ａには取付孔２８が穿設されている。
【００２５】
キャップ３０は、支持台２１の係合爪２７と係合する係合孔３１、および端部２３ａ，２３ａに摺接する保持壁３３、ならびに握り部１８端に外嵌される嵌合部３５を備え、下端部３０ａ側が開口した箱状に形成されている。そして、キャップ３０は、嵌合部３５が握り部１８端に外嵌されるとともに、係合部２７を支点として、嵌合部３５側が上下に揺動可能に、支持台２１へ取付けられている。
【００２６】
この伸縮式アシストグリップ１は、支持台２１の取付面２１ａを、車体４０に当接させるとともに、ブラケット２０，２０の間隔を所定寸法に保持して、取付ねじ２９，２９により車体４０へ装着される。
【００２７】
次に、このように構成された伸縮式アシストグリップ１の作用を説明する。
【００２８】
格納状態では、グリップ１０は、弾性芯材１１の弾性により伸長状態にあり、図６に示す如く、極めて大きな曲率で車体４０に添う位置にある。
【００２９】
このとき、握り部１８の端部１８ａがストッパ部２６に当接し、ガイドピン１６は、ガイド溝２４のガイド部２４ａに位置している。そして、ガイドピン１６とガイド部２４ａ外端部との間には若干の隙間があり、立上壁１３の下端部が支持台２１面に弾性的に当接して、グリップ１０の上下方向（矢印Ｃ−Ｃ’で示す方向）のがたつきを防止している。
【００３０】
また立上壁１３は、ガイド壁２３に摺接状態で対面し、グリップ１０の左右（矢印Ｂ−Ｂ’）方向のがたつきを抑制している。また、キャップ３０は、下端部３０ａが車体４０に当接した状態にある。
【００３１】
使用状態にするには、格納状態のグリップ１０の中央部を、弾性芯材１１の弾性力に抗して矢印Ｃ方向へ引上げる。
【００３２】
このとき、弾性芯材１１は湾曲し、ガイドピン１６は、ガイド溝２４に案内されてガイド部２４ａを内方へ（矢印Ａ’方向）へ移動し、角部を経て鉤形部２４ｂへ節度を伴って進入する。そして、鉤形部２４ｂ上端部に達して使用状態位置となる（図７参照）。この使用状態は、弾性芯材１１の弾性復元力によるガイドピン１６の鉤形部２４ｂへの圧接力により保持され、使用者がグリップ１０から手を離しても継続的に保持される。
【００３３】
そして、立上壁１３はガイド壁２３に摺接状態で対面し、また立上壁１３の外端部下端角が支持台２１面に当接して、グリップ１０の左右Ｂ−Ｂ’方向のがたつき、および上下Ｃ−Ｃ’方向のぐらつきを防止している。また、キャップ３０は、係合爪２７を支点として、嵌合部３５が、握り部１８の上昇に伴って上昇する。
【００３４】
このとき、保持壁３３はガイド壁２３の端縁部２３ａと摺接して上昇し、係合孔３１の係合爪２７との係合を保持している。また、キャップ３０の揺動により下端部３０ａが車体４０面より僅かに上昇して、キャップ３０外形の変形を防止している。
【００３５】
使用状態の伸縮式アシストグリップ１を格納状態にするには、湾出したグリップ１０の中央部を矢印Ｃ’方向に押下げる。この押下げ力により、ガイドピン１６は、ガイド溝２４を図７の下方へ滑動し、角部を経てガイド部２４ｂに達し、弾性芯材１１の弾性復元力によりガイド部２４ａを矢印Ａ方向へ移動する。そして、ガイド部２４ａ外端部とガイドピン１６との間に、若干の隙間を残して図６の格納状態に復帰する。このとき、伸長状態になったグリップ１０は、軟質樹脂材の端部１８ａがストッパ部２６に当接して、係合部１２，支持台２１間の異音発生を抑制している。
【００３６】
図８〜１０は、この発明の第２の実施態様を示し、弾性芯材にガイド溝を設けた構成に特徴を有する。なお、以下の説明では、第１実施態様と同一または同等な構成要素は同一符号を付して説明を省略する。
【００３７】
この第２実施態様の伸縮式アシストグリップ１は、図８に示すように、弾性芯材１１の一対の係合部１２は、それぞれガイド溝２４を有する一対の立上壁１３，１３を備え、支持台２１は、一対のガイド壁２３，２３にガイドピン１６が固着されている。
【００３８】
伸縮式アシストグリップ１におけるガイド溝２４は、図８，９に示す如く、内端側へ向かうガイド部２４ａと、角部より下向きに屈曲した鉤形部２４ｂとを備えて形成されている。
【００３９】
この伸縮式アシストグリップ１によれば、格納−使用の状態変化に伴う動作は、ガイド溝２４が移動しガイドピン１６が不動であることを除けば、第１実施態様と同様である。従って、ガイド溝２４に弾性芯材１１の弾性力が直接作用する以外は、ガイドピン１６とガイド溝２４との間は、同様な作用関係にある。
【００４０】
なお、この発明は上述の説明および図例に限定されることなく、この発明の技術的思想から逸脱しない範囲において、その実施態様を変更することができる。例えば、弾性芯材１１の一端側のガイドピン１６にのみ、ガイド溝２４，２４をスライド嵌合させ、他端側のガイドピン１６は、単に回動自在に支持する構成としても、ほぼ同様の作用・効果を奏する。
【００４１】
また、平板状の係合部１２に、ガイドピン１６を固着した構成であってもよい。
【００４２】
【発明の効果】
以上説明したように本発明の伸縮式アシストグリップによれば、ガイドピンと鉤形状の一対のガイド溝とが、スライド嵌合する構成なので、使用時にガイドピンを安定して保持するとともに、格納−使用−格納の状態変化を円滑に行って、優れた操作感を得ることができる。
【００４３】
また、一対の立上壁と一対のガイド壁とが摺接し、立上壁下端縁が支持台に弾接する構成なので、格納，使用の両状態において、グリップの上下、左右方向のぐらつきを抑制することができる。
【００４４】
さらに、ガイドピンとガイド溝とが嵌め合い摺動関係であるとともに、格納時に、ストッパ部が握り部の端部に当接するので、伸縮操作時の摺動音や格納作動音を小さくすることができる。
【００４５】
また、ブラケットのキャップを、グリップの伸縮につれて揺動可能な構成としているので、従来例のように、使用状態においてキャップの変形がなく、良好な外観を保つことができる効果を奏する。
【図面の簡単な説明】
【図１】本発明の第１実施態様の伸縮式アシストグリップの外形斜視図。
【図２】同じく、ブラケット部分を拡大して示す平面断面図。
【図３】同じく、ブラケット部分を拡大して示す側面断面図。
【図４】係合部および支持台の分解斜視図。
【図５】係合部および支持台の組み立て斜視図。
【図６】格納状態のブラケット部分の側面断面図。
【図７】使用状態のブラケット部分の側面断面図。
【図８】本発明の第２実施態様における係合部および支持台の分解斜視図。
【図９】第２実施態様の格納状態のブラケット部分の側面断面図。
【図１０】同じく使用状態のブラケット部分の側面断面図。
【図１１】従来例の左半部を断面で示す平面図。
【図１２】同じく左半部を断面で示す側面図。
【図１３】同じく係合部および支持台の分解斜視図。
【図１４】同じくグリップ引出し途中の状態を示す側面断面図。
【図１５】同じく使用状態のキャップの外形を示す側面図。
【符号の説明】
１            伸縮式アシストグリップ
１０            グリップ
１１            弾性芯材
１２            係合部
１３            立上壁
１６            ガイドピン
１８            握り部
２０            ブラケット
２１            支持台
２３            ガイド壁
２４            ガイド溝
２４ｂ          鉤形溝
２６            ストッパ部
２７            係合爪
３０            キャップ
３１            係合孔
３３            保持壁
３５            嵌合部
【図１】
0003643998.tif 000002
【図２】
0003643998.tif 000003
【図３】
0003643998.tif 000004
【図４】
0003643998.tif 000005
【図５】
0003643998.tif 000006
【図６】
0003643998.tif 000007
【図７】
0003643998.tif 000008
【図８】
0003643998.tif 000009
【図９】
0003643998.tif 000010
【図１０】
0003643998.tif 000011
【図１１】
0003643998.tif 000012
【図１２】
0003643998.tif 000013
【図１３】
0003643998.tif 000014
【図１４】
0003643998.tif 000015
【図１５】
0003643998.tif 000016